【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
セルラ・アクセス・システム（１００）で用いる方法（２００）であって、該システムにおけるセル（１１０）への及びセル（１１０）からのトラヒックを制御する少なくとも一つの無線基地局（１２０）が該システム内に存在し、ユーザ機器を有するユーザが該セル内に存在することができ、前記無線基地局と前記ユーザ機器とはシーケンス番号を含むデータ・ブロックを相互に送信し受信することが可能であり、前記無線基地局（１２０）とユーザ機器（１３０、１４０）とはデータ・ブロックを成功して受信しているか否かに関する情報を含むレポートも交換し、ユーザ機器と無線基地局とはレポート送信元またはレポート受信先のいずれにもなることができ、
前記方法は、
前記レポート受信先に向けてレポート（２１０）を含む送信を前記レポート送信元に送信させる工程であって、前記レポートはデータ・ブロックを成功して受信しているか否かに関する情報を含む工程と、
前記レポート受信先に向けて又はセル（１１０）内の別の相手に向けてデータとともに前記レポート（２１０）を前記レポート送信元に送信させる工程と、
前記データ・ブロックの受信先のためのアドレス及び前記送信内の前記レポートのためのアドレスを前記レポート送信元に付させる工程と、
内部の優先ランク付けを与えている優先ルールの少なくとも一つを用いて前記レポートの内容を前記レポート送信元に決定させる（２２０）工程とを有し、
前記優先ルールは、
・他のデータ・ブロックよりも低い遅延耐性を有すると識別されたデータ・ブロックを優先的に扱うこと（２３０）、
・エラーで受信されていると検出されていて、かつ、前記エラーが検出されたために状態がレポートされていないデータ・ブロックを優先的に扱うこと（２４０）、
・シーケンス番号に従って、大きいシーケンス番号を有するデータ・ブロックよりも小さいシーケンス番号を有するデータ・ブロックを優先的に扱うこと（２５０）、
であることを特徴とする方法（２００）。
【請求項２】
前記ユーザ機器（１３０、１４０）が前記レポート送信元である場合に、前記レポートは前記無線基地局（１２０）からのポーリングである要求によって引き起こされることを特徴とする請求項１に記載の方法（２００、２６０）。
【請求項３】
前記無線基地局（１２０）から前記ユーザ機器（１３０、１４０）にポーリングされている場合に、該ポーリング（２６０）で照会されたデータ・ブロックのグループに属すると識別されているデータ・ブロックが前記ユーザ機器（１３０、１４０）によって優先的に扱われることを特徴とする請求項２に記載の方法（２００）。
【請求項４】
前記グループ内で最小のシーケンス番号を有するデータ・ブロックが優先的に扱われる（２２０）ことを特徴とする請求項３に記載の方法（２００）。
【請求項５】
前記レポートでカバーされるデータ・ブロックの総数である前記レポートのサイズは、前記優先ルールの一つによってカバーされるすべてのデータ・ブロックが前記レポートに含まれるようなサイズであることを特徴とする請求項１乃至４のいずれか１項に記載の方法（２００）。
【請求項６】
前記レポート（２１０）は、前記レポートのサイズを示すヘッダを含むことを特徴とする請求項１乃至５のいずれか１項に記載の方法（２００）。
【請求項７】
前記レポート（２１０）は複数のセグメントを含み、
前記ヘッダは前記レポート（２１０）に存在するセグメントの総数に関する情報も含む
ことを特徴とする請求項６に記載の方法（２００）。
【請求項８】
前記セグメントのサイズに関する情報も前記ヘッダに含まれることを特徴とする請求項７に記載の方法（２００）。
【請求項９】
前記レポート（２１０）のサイズは、該レポート内の特定の構造フィールドで示されることを特徴とする請求項１乃至５のいずれか１項に記載の方法（２００）。
【請求項１０】
前記レポート（２１０）は複数のセグメントを含み、
前記構造フィールドは前記レポートに存在するセグメントの総数に関する情報も含む
ことを特徴とする請求項９に記載の方法（２００）。
【請求項１１】
前記セグメントのサイズに関する情報も前記構造フィールドに含まれることを特徴とする請求項１０に記載の方法（２００）。
【請求項１２】
セルラ・アクセス・システム（１００）で用いる第１の送受信機（３００）であって、該第１の送受信機（３００）は、シーケンス番号を含むデータ・ブロックを、該システムの第２の送受信機へ送信する手段（３１０）と該第２の送受信機から受信する手段（３２０）とを備え、該第１の送受信機は該第２の送受信機に関するレポート送信元またはレポート受信先のいずれにもなることができ、
前記第１の送受信機は、
該第１の送受信機が前記レポート送信元である場合に、前記レポート受信先に向けてレポートを含む送信を送信する手段（３３０）であって、該レポートはデータ・ブロックを成功して受信しているか否かに関する情報を含む手段（３３０）と、
前記レポート受信先に向けて又はセル内の別の相手に向けてデータとともに前記レポートを送信する手段（３４０）と、
前記データ・ブロックのためのアドレス及び前記送信内の前記レポートのためのアドレスを含める手段（３５０）と、
内部の優先ランク付けを与えている優先ルールの少なくとも一つを用いて前記レポートの内容を決定する手段（３５０）とを備え、
前記優先ルールは、
・他のデータ・ブロックよりも低い遅延耐性を有すると識別されたデータ・ブロックを優先的に扱うこと（２３０）、
・エラーで受信されていると検出されていて、かつ、前記エラーが検出されたために状態がレポートされていないデータ・ブロックを優先的に扱うこと（２４０）、
・シーケンス番号に従って、大きいシーケンス番号を有するデータ・ブロックよりも小さいシーケンス番号を有するデータ・ブロックを優先的に扱うこと（２５０）、
であることを特徴とする第１の送受信機（３００）。
【請求項１３】
前記第１の送受信機（３００）が前記レポート送信元である場合に、前記レポートは前記第２の送受信機からのポーリングである要求によって引き起こされることを特徴とする請求項１２に記載の第１の送受信機（３００）。
【請求項１４】
前記第２の送受信機からポーリングされている場合に、該ポーリングで照会されたデータ・ブロックのグループに属すると識別されているデータ・ブロックが前記第１の送受信機（３００）によって優先的に扱われることを特徴とする請求項１３に記載の第１の送受信機（３００）。
【請求項１５】
前記グループ内で最小のシーケンス番号を有するデータ・ブロックが優先的に扱われる（２２０）ことを特徴とする請求項１４に記載の第１の送受信機（３００）。
【請求項１６】
前記レポートでカバーされるデータ・ブロックの総数である前記レポートのサイズは、前記優先ルールの一つによってカバーされるすべてのデータ・ブロックが前記レポートに含まれるように構成されることを特徴とする請求項１２乃至１５のいずれか１項に記載の第１の送受信機（３００）。
【請求項１７】
前記レポートは、前記レポートのサイズを示すヘッダを含むように構成されることを特徴とする請求項１３乃至１６のいずれか１項に記載の第１の送受信機（３００）。
【請求項１８】
前記レポートは複数のセグメントを含むように構成され、
前記構造フィールドは前記レポートに存在するセグメントの総数に関する情報も含むように構成される
ことを特徴とする請求項１７に記載の送受信機（３００）。
【請求項１９】
前記セグメントのサイズに関する情報も前記ヘッダに含まれるように構成されることを特徴とする請求項１８に記載の第１の送受信機（３００）。
【請求項２０】
前記レポートのサイズは、該レポート内の特定の構造フィールドに示されるように構成されることを特徴とする請求項１２乃至１６のいずれか１項に記載の第１の送受信機（３００）。
【請求項２１】
前記レポートは複数のセグメントを含むように構成され、
前記構造フィールドは前記レポートに存在するセグメントの総数に関する情報も含むように構成される
ことを特徴とする請求項２０に記載の第１の送受信機（３００）。
【請求項２２】
前記セグメントのサイズに関する情報も前記構造フィールドにおいて送信されることを特徴とする請求項２１に記載の第１の送受信機（３００）。
【請求項２３】
セルラ・アクセス・システムにおけるユーザ機器または無線基地局であることを特徴とする請求項１２乃至２２のいずれか１項に記載の第１の送受信機（３００）。